(57)【要約】【課題】使用時等にねじ蓋をなくすことがない化粧皿を提供する。【解決手段】化粧料３ａが収容された皿本体１１と、この皿本体１１に着脱自在に螺合されたねじ蓋１２とを備えている。そして、上記皿本体１１から連結用帯状体１４を延ばし、この連結用帯状体１４に対してねじ蓋１２が相対回転自在となるように上記連結用帯状体１４をねじ蓋１２に連結し、この連結状態で上記連結用帯状体１４を皿本体１１から着脱自在にしている。【選択図】図３
2005348992.tif 000002
【特許請求の範囲】
【請求項１】
化粧料が収容された皿本体と、この皿本体に着脱自在に螺合されたねじ蓋とを備え、上記皿本体から帯状体を延ばし、この帯状体に対してねじ蓋が相対回転自在となるように上記帯状体をねじ蓋に連結し、この連結状態で上記帯状体を皿本体から着脱自在にしたことを特徴とする化粧皿。
【請求項２】
上記帯状体の一側部が環状に形成されて皿本体の外周面に巻回され、上記帯状体の他端部に穴が穿設され、この穴に、ねじ蓋の上面の中央部から突設された突部が、上記穴に対して相対回転自在に挿入されている請求項１記載の化粧皿。
【請求項３】
上記帯状体が、皿本体の周側壁から一体的に延設されている請求項１記載の化粧皿。
【請求項４】
請求項１記載の化粧皿を備えていることを特徴とする気密容器。
【発明の詳細な説明】
【技術分野】
【０００１】
本発明は、揮発性の高い化粧料等の内容物を収容するのに適した気密容器に関するものである。
【背景技術】
【０００２】
従来から、揮発性成分を含有する化粧料等を収容する化粧料容器等の気密容器として、その内部の気密性を保つために、各種の化粧料容器が提案されているが、そのなかでも、一番高い気密性を保持することができるものとして、ねじ式のもの（すなわち、化粧料が収容された皿本体をねじ蓋で蓋するようにしたもの）がよく用いられている。このようなねじ式の気密容器として、図８に示すコンパクト容器がある。このコンパクト容器は、上面に化粧料収納部２１ａと化粧用具収納部２１ｂとが形成された容器本体２１と、この容器本体２１の上面を蓋する蓋体２２と、上記化粧料収納部２１ａに着脱自在に収納される詰替容器２３とを備えている。この詰替容器２３は、内部に化粧料（図示せず）が収納された本体２４と、この本体２４の上面開口を蓋するねじ蓋２５とで構成されており、上記本体２４の外周に形成されたねじ条２４ａに、上記ねじ蓋２５の内周に形成されたねじ溝２５ａを螺合させて閉蓋することにより、本体２４内に化粧料を気密状に密閉収納するようにしている（例えば、特許文献１参照）。
【特許文献１】特開平７−６６４１１号公報
【発明の開示】
【発明が解決しようとする課題】
【０００３】
しかしながら、上記のコンパクト容器では、使用時等に、上記螺合を解除してねじ蓋２５を本体２４から取り外すと、ねじ蓋２５をコンパクト容器から離れた場所（コンパクト容器の近傍やコンパクト容器から少し離れた他の場所等）に置かなければならないため、使用後にねじ蓋２５を本体２４に螺合させるのを忘れてコンパクト容器を他の場所に移動させる等し、ねじ蓋２５をなくすことがよくある。
【０００４】
本発明は、このような事情に鑑みなされたもので、最も気密性の高いねじ蓋を採用した気密容器であって、使用時等にねじ蓋をなくすという従来の問題点を解決する化粧皿およびそれを用いた気密容器の提供をその目的とする。
【課題を解決するための手段】
【０００５】
上記の目的を達成するため、本発明は、化粧料が収容された皿本体と、この皿本体に着脱自在に螺合されたねじ蓋とを備え、上記皿本体から帯状体を延ばし、この帯状体に対してねじ蓋が相対回転自在となるように上記帯状体をねじ蓋に連結し、この連結状態で上記帯状体を皿本体から着脱自在にした化粧皿を第１の要旨とし、上記化粧皿を備えている気密容器を第２の要旨とする。
【発明の効果】
【０００６】
すなわち、本発明の化粧皿は、化粧料が収容された皿本体から帯状体を延ばし、上記皿本体に着脱自在に螺合されたねじ蓋に連結している。したがって、使用時等に、上記螺合を解除してねじ蓋を皿本体から取り外しても、ねじ蓋は皿本体に帯状体で連結されているため、使用後にねじ蓋を皿本体に螺合させるのを忘れて、ねじ蓋をなくすということがなくなる。しかも、移送時等に、左右に化粧皿を並べたときに、上記帯状体が、横に並ぶ化粧皿の側面に当接する等して滑り止めの作用をする。また、本発明の気密容器は、上記化粧皿を備えているため、上述したように、使用時等にねじ蓋をなくすことがなくなる。
【０００７】
上記帯状体の一側部が環状に形成されて皿本体の外周面に巻回され、上記帯状体の他端部に穴が穿設され、この穴に、ねじ蓋の上面の中央部から突設された突部が、上記穴に対して相対回転自在に挿入されていると、上記帯状体の構造が簡単になり、容易に作製することができる。
【０００８】
上記帯状体が、皿本体の外周壁から一体的に延設されていると、部品点数が少なくなるため、コストを安くすることができ、かつ在庫管理等が簡単化する。
【発明を実施するための最良の形態】
【０００９】
つぎに、本発明の実施の形態を図面にもとづいて詳しく説明する。
【００１０】
図１は本発明の気密容器の一実施の形態を示している。図において、１は上面に化粧皿収容凹部１ａ（図２参照）およびパフ収容凹部１ｂが形成された合成樹脂製の容器本体で、２は上記容器本体１の上面を蓋する合成樹脂製の蓋体である。また、上記容器本体１の化粧皿収容凹部１ａには、内部に揮発性化粧料３ａが収容された化粧皿３が収容されている（図２参照）。また、上記容器本体１には、その前端部に前側凹部６が形成されており、この前側凹部６の奥壁面に、上記蓋体２の前端部に形成された係合爪部（図示せず）に着脱自在に係合しうる係合凸部６ａが突設されている。また、上記容器本体１には、その後端部に後側凹部７が形成されており、この後側凹部７に、上記蓋体２の後端部から垂下する連結部（図示せず）がヒンジ軸（図示せず）を介してヒンジ連結されている。
【００１１】
上記化粧皿３は、図３〜図５に示すように、揮発性化粧料３ａが収容された上面開放状の皿本体１１と、この皿本体１１の上面を蓋する有天円筒状のねじ蓋１２と、このねじ蓋１２の天井板１２ｃに接着剤（図示せず）等により固定されたゴム製円盤状のシール材１３と、上記皿本体１１およびねじ蓋１２を連結する連結用帯状体１４とからなっている。そして、上記ねじ蓋１２の周側壁１２ａの内周面に形成されたねじ溝１２ｂに、上記皿本体１１の周側壁１１ａの上部外周面に形成されたねじ突条１１ｂを着脱自在に螺合させることにより、上記ねじ蓋１２で皿本体１１を気密状に閉蓋して上記皿本体１１内の化粧料３ａを気密状に密閉収容できるようにしている。また、上記皿本体１１には、その中間高さ部分（上記ねじ突条１１ｂより所定距離〔上記連結用帯状体１４の厚みと略同じ距離〕だけ下側に寄った部分）の外周面に一条の環状突部１５が突設されている。
【００１２】
上記連結用帯状体１４は、上記皿本体１１の環状突部１５上に巻回状に載置される環状部１６と、この環状部１６から延びる連結帯部１７とからなり、この連結帯部１７の一端部に、ねじ蓋１２の上面中央部分（ねじ蓋１２のねじ回転の中心部分）から上向きに突設された把手部（突部）１８に相対回転自在に係合する丸穴１７ａが穿設されている。
【００１３】
上記の構成において、使用時には、化粧皿３の皿本体１１に対しねじ蓋１２を相対回転させ、皿本体１１からねじ蓋１２を取り外すことを行う。このとき、皿本体１１から取り外したねじ蓋１２は、連結用帯状体１４により皿本体１１に連結している。一方、皿本体１１にねじ蓋１２を取り付ける場合には、皿本体１１に連結用帯状体１４により連結した状態で、ねじ蓋１２を皿本体１１に螺合することを行う。
【００１４】
このように、上記実施の形態では、使用時等に、ねじ蓋１２を皿本体１１から取り外しても、ねじ蓋１２は皿本体１１に連結用帯状体１４により連結されているため、使用後にねじ蓋１２を皿本体１１に螺合させるのを忘れる等して、ねじ蓋１２をなくすことがなくなる。しかも、移送時等に、左右に化粧皿３を並べたときに、上記連結用帯状体１４が、横に並ぶ化粧皿３の皿本体１１の周側面に当接し、滑り止め作用をする。
【００１５】
図７は上記化粧皿の変形例を示している。この例では、化粧皿３の皿本体１１の周側壁１１ａから連結用帯状体１９が一体的に延設されている。したがって、この例では、連結用帯状体１９に環状突１６が形成されていないし、皿本体１１に環状突部１５が形成されていない。それ以外の部分は図３〜図５に示す化粧皿３と同様であり、同様の部分には同じ符号を付している。この例の化粧皿３でも、図３〜図５に示す化粧皿３と同様の作用・効果を奏する。
【００１６】
なお、上記実施の形態では、連結用帯状体１４の連結帯部１７に丸穴１７ａを穿設し、この丸穴１７ａにねじ蓋１２の把手部１８を相対回転自在に係合しているが、これに限定するものではなく、連結用帯状体１４とねじ蓋１２とを相対回転自在に係合しうる構造であれば、どのような構造でもよい。
【図面の簡単な説明】
【００１７】
【図１】本発明の気密容器の一実施の形態を示す平面図である。
【図２】上記気密容器の要部の断面図である。
【図３】化粧皿の側面図である。
【図４】上記化粧皿の平面図である。
【図５】上記化粧皿の断面図である。
【図６】連結用帯状体の平面図である。
【図７】上記化粧皿の変形例を示す断面図である。
【図８】従来例を示す断面図である。
【符号の説明】
【００１８】
３ａ  化粧料
１１  皿本体
１２  ねじ蓋
１４  連結用帯状体
【図１】
2005348992.tif 000003
【図２】
2005348992.tif 000004
【図３】
2005348992.tif 000005
【図４】
2005348992.tif 000006
【図５】
2005348992.tif 000007
【図６】
2005348992.tif 000008
【図７】
2005348992.tif 000009
【図８】
2005348992.tif 000010